(57)【要約】      （修正有）【課題】バインダーボードの裏側に書類収納部を取り付けた書類収納部付きバインダーにおいて、書類収納部に取り付けられた鉄片と、バインダーボードに取り付けられた磁石の着脱位置がずれることなく、たくさん書類を収納しても書類収納部がよれずに綺麗に収まる書類収納部付きバインダーを提供する。【解決手段】書類が載せられ書類に記入する際の下台となるバインダーボード１と、バインダーボードの表側に設けられ書類を挟んで保持するクリップと、バインダーボードの裏側に設けられ隣接する二辺がバインダーボードに接着されたシートと、シートの二辺により形成された角部と対向する角部近傍に配設された磁気吸着部と、バインダーボードに配設された磁気吸着部より大きな面積を持つ磁石４と、を備える。【選択図】図３
2015104828.tif 000002
【特許請求の範囲】
【請求項１】
書類が載せられ書類に記入する際の下台となるバインダーボードと、
前記バインダーボードの表側に設けられ書類を挟んで保持するクリップと、
前記バインダーボードの裏側に設けられ隣接する二辺が前記バインダーボードに接着されたシートと、
前記シートの前記二辺により形成された角部と対向する角部近傍に配設された磁気吸着部と、
前記バインダーボードに配設された前記磁気吸着部より大きな面積を持つ磁石と、を備えたことを特徴とする書類収納部付きバインダー。
【請求項２】
前記磁石が方形であって、前記磁石の下辺が、前記バインダーボード上辺に対し斜めになるように配設されていることを特徴とする請求項１に記載の書類収納部付きバインダー。
【請求項３】
前記磁気吸着部は、前記磁石よりも面積が小さく、かつ、略円形であることを特徴とする請求項１又は請求項２に記載の書類収納部付きバインダー。
【請求項４】
前記磁気吸着部は前記シートの角部を覆うように配設されていることを特徴とする請求項１から請求項３いずれか１つに記載の書類収納部付きバインダー。
【請求項５】
前記シートは、前記磁気吸着部の配設された角部と対向する角部に前記バインダーボードに接着されていない開放部があることを特徴とする請求項２から請求項４いずれか１つに記載の書類収納部付きバインダー。
【請求項６】
前記磁気吸着部の素材と前記磁石の素材が、入れ替わっていることを特徴とする請求項１から請求項５までいずれか１つに記載の書類収納部付きバインダー。
【発明の詳細な説明】
【技術分野】
【０００１】
本発明は、書類を挟むクリップが取り付けられたバインダーボードの裏側に、書類を収納するファイルを装着した書類収納部付きバインダーに関する。
【背景技術】
【０００２】
従来から特許文献１に開示の収納用ファイル付きバインダーが知られている。この収納用ファイル付きバインダーは、書類が載せられその書類に筆記で記入する際の下台となるバインダーボードと書類を挟んで保持するクリップからなるバインダーボードと、書類を収納するフォルダファイルとを合体させた構造である。
【先行技術文献】
【特許文献】
【０００３】
【特許文献１】特開２０１１−２４５７６４号公報
【発明の概要】
【発明が解決しようとする課題】
【０００４】
しかしながら、上記従来の書類収納ファイル付きバインダーでは、フォルダファイルの隣り合う二辺に取り付けられた磁石とフォルダファイルに取り付けられた磁石の着脱位置を完全に一致させることが難しく、分厚い書類を挟んだとき、磁石の一部分のみ吸着し、吸着力が弱くなったりフォルダファイルがよれてしまうという問題があった。さらに、挟む書類が多くなると、フォルダファイルに取り付けられた磁石がバインダーボード側の磁石の位置まで届かず、吸着できないという問題もあった。
【０００５】
そこで、この発明の目的は、バインダーボードの裏側に書類収納部を取り付けた書類収納部付きバインダーにおいて、書類収納部に取り付けられた鉄片と、バインダーボードに取り付けられた磁石の形状及び配設位置を工夫することによって、シートがよれにくく、かつ、たくさん書類を収納しても鉄片と磁石がぴったりと吸着できる書類収納部付きバインダーを提供することにある。
【課題を解決するための手段】
【０００６】
この発明の書類収納部付きバインダーは、書類が載せられ書類に記入する際の下台となるバインダーボードと、前記バインダーボードの表側に設けられ書類を挟んで保持するクリップと、前記バインダーボードの裏側に設けられ隣接する二辺が前記バインダーボードに接着されたシートと、前記シートの前記二辺により形成された角部と対向する角部近傍に配設された磁気吸着部と、前記バインダーボードに配設された前記磁気吸着部より大きな面積を持つ磁石と、を備えたことを特徴とする。
【０００７】
この発明によれば、バインダーボードの裏側に取り付けられたシートとバインダーボードの裏側との間隙に形成された書類収納部に書類を収納することができ、見た目がスマートで、かつ、磁力で着脱するため書類を速やかに出し入れできる。ここで、磁気吸着部とは、鉄片、コバルト、ニッケル又はこれらの金属を含んだ素材からなり、磁石に吸着する性質をもつ部分である。バインダーボードに取り付けられた磁石は、書類収納部に取り付けられた磁気吸着部より面積が大きいので、分厚い書類を挟んだことにより鉄片の位置がずれても、ぴったりと吸着させることができる。
【０００８】
また、この発明の書類収納部付きバインダーに配設された磁石は、方形であって、磁石の下辺が前記バインダーボード上辺に対し斜めになるように配設されていることを特徴とする。
【０００９】
この発明によれば、シートに配設された磁気吸着部と、バインダーボードに配設された磁石を、最適な位置で吸着させることができる。すなわち、磁石が方形で、磁石下辺がバインダーボードの上辺に対して斜めとなっているので、磁石の着脱位置をずらしてシートを湾曲させて書類収納部の容積を増減することができる。ゆえに、様々な厚さの書類の収納に対応できる書類収納部つきバインダーを提供することができる。
【００１０】
また、前記磁気吸着部は、前記磁石よりも面積が小さく、かつ、略円形であることを特徴とする。
【００１１】
この発明によれば、シートに取り付けられた前記磁気吸着部と、バインダーボードに取り付けられた磁石の着脱位置がずれることなく、書類が綺麗に収まる書類収納部付きバインダーを提供することができる。すなわち、磁気吸着部が、磁石に近づき、その磁場の範囲内に入ると磁気吸着部は磁化され磁石に吸着する。磁気吸着部の極性は、近づいた磁石と互いに引き合う極性となって吸着するため、磁石同士で吸着させるときのように、近づける磁石の極性により反発しあうということがない。そのため、いつでも、ずれずに、ぴったりと吸着させることができ、シートがよれず綺麗に書類を収納できる。
【００１２】
また、この発明の書類収納部付きバインダーの前記磁気吸着部は、前記シートの角部を覆うように配設されていることを特徴とする。
【００１３】
この発明によれば、磁気吸着部が、シートの角部を覆うように配設されているため、磁気吸着部に指をかけてシートを開閉することができる。シートがめくりやすいので、立ったまま片手でバインダーボードを持っている際でも、もう片方の手で手間なく迅速に書類収納部の開閉ができる。
【００１４】
また、この発明の書類収納部付きバインダーの前記シートの前記磁気吸着部の配設された角部と対向する角部は、前記バインダーボードに接着されていない開放部となっていることを特徴とする。
【００１５】
この発明によれば、書類収納部に、名刺その他の小さいサイズの書類を収納している場合でも、書類の出し入れがしやすい。また、書類収納部の奥に細かいゴミが溜まることがない。
【００１６】
また、この発明の書類収納部付きバインダーは、前記磁気吸着部の素材と前記磁石の素材が、入れ替わっていることを特徴とする。
【００１７】
この発明によれば、バインダーボードの裏側の書類収納部に書類を収納でき、見た目がスマートで、かつ、書類を速やかに出し入れできる。また、バインダーボード側に磁石吸着部を設け、シート側に磁石を設けることによって、磁石の面積が小さくて済むので、製造コストを低く抑えることができる。バインダーボード側に設ける磁気吸着部は、バインダーボードに埋め込んでも良いし、バインダーボードの上に接着しても良いし、バインダーボード自体を磁石に吸着する素材で作っても良い。
【図面の簡単な説明】
【００１８】
【図１】本発明の実施の形態１に係る書類収納部付きバインダーの表側の斜視図である。
【図２】図１に示した書類収納部付きバインダーの裏側の斜視図である。
【図３】図１に示した書類収納部付きバインダーの書類収納部を開いた様子を示す斜視図である。
【図４】図２に示した書類収納部付きバインダーのＡ−Ａ線断面図である。
【図５】図４に示した書類収納部付きバインダーの書類収納部を開いた状態を説明する断面図である。
【図６】図４に示した書類収納部付きバインダーの書類収納部に書類を収納した状態を説明する断面図である。
【図７】図２に示した書類収納部付きバインダーのＢ部拡大図である。
【図８】本発明の実施の形態２に係る書類収納部付きバインダーの表側の斜視図である。
【図９】図８に示した書類収納部付きバインダーの裏側の斜視図である。
【図１０】図８に示した書類収納部付きバインダーの書類収納部を開いた様子を示す斜視図である。
【図１１】本発明の実施の形態３に係る書類収納部付きバインダーの表側の斜視図である。
【図１２】図１１に示した書類収納部付きバインダーの裏側の斜視図である。
【図１３】図１１に示した書類収納部付きバインダーの書類収納部を開いた様子を示す斜視図である。
【発明を実施するための形態】
【００１９】
（実施の形態１）
以下、図１〜図５を参照し、実施の形態１にかかる書類収納部付きバインダーの構成を説明する。図１は、本発明の実施の形態１に係る書類収納部付きバインダーの表側の斜視図である。図２は、図１に示した書類収納部付きバインダーの裏側の斜視図である。図３は、図１に示した書類収納部付きバインダーの書類収納部を開いた様子を示す斜視図である。
【００２０】
図１に示すように、本実施の形態１にかかる書類収納部付きバインダー１００の表側は、書類が載せられるバインダーボード１と、書類を挟んで保持するクリップ２からなる。
【００２１】
図２に示すように、書類収納部付きバインダー１００の裏側には、書類収納部３が設けられている。書類収納部３は、略長方形状のシート３１と、磁気吸着部である円形鉄片３２からなり、シート３１の下辺及び下辺と隣り合う左右どちらか一方の辺は、バインダーボート１に接着されており二辺３５，３６となっている。前記二辺３５，３６とは別の二辺は、バインダーボード１には接着されておらず、開口側辺３３，３４となっている。円形鉄片３２は、開口側二辺３３，３４に囲まれた角部近傍に設けられている。円形鉄片３２の素材は、例えば鉄片、コバルト、ニッケル又はこれらの金属を含んだ素材であって磁石に吸着可能な磁性体からなる。
【００２２】
図３に示すように、バインダーボード１には、シート３１に設けられた円形鉄片３２に対応する部分に、略長方形の磁石４が埋め込まれている。磁石４は、バインダーボード１に埋め込むほか、バインダーボード１の上に磁石４を接着剤その他で固定しても良い。円形鉄片３２と磁石４は、磁石同士を近づけたときのように互いの極性によって反発しあうことがなく、いつでも、ぴったり吸着するので、磁石４を配設する際、磁石４の極性を考慮する必要がなく配設作業が簡単である。
【００２３】
図４は、図２に示した書類収納部付きバインダーのＡ−Ａ線断面図である。図５は、書類収納部を開口した状態を説明する断面図であり、図６は、書類収納部３に書類を収納した状態を説明する断面図である。
【００２４】
図４に示すように、本実施の形態１の書類収納部付きバインダー１００は、未使用時は、バインダーボード１の上に、シート３１が重なっている。バインダーボード１に埋め込まれた磁石４の上には、シート３１の角部近傍に配設された円形鉄片３２が位置する。磁石４と円形鉄片３２は磁力によって吸着されている。
【００２５】
図５に示すように、書類（不図示）を収納しようとするときは、シート３１を指でめくって、シート３１をバインダーボード１から離して書類収納部３を開口させる。シート３１は、円形鉄片３２によって磁石４と磁力で吸着しているだけなので、強い力を必要とせず簡単に書類収納部３を開口させることができる。
【００２６】
シート３１をめくって、バインダーボード１とシート３１との間隙、すなわち書類収納部３に書類６を差し入れる。シート３１を閉じると、磁石４と円形鉄片３２とが吸着して、図６に示すように、バインダーボード１とシート３１との間に書類６がしっかりと収納される。このように、磁石４と円形鉄片３２とが磁力によって吸着されるので、バインダーボード１の裏面が下側になったときも、書類収納部３が開口して書類６が脱落する恐れがなく、片手でバインダーボード１を支えて、バインダーボード１の表面に置いた書類に記入できるので便利である。
【００２７】
図７は、図２に示す書類収納部付きバインダーのＢ部拡大図である。磁石４は、本実施形態においては略長方形状となっている。シート３１の角部にある円形鉄片３２は、円形で鉄を含む素材からできており、バインダーボード１の角部に設けられた磁石４の上にくるように配設されている。
【００２８】
書類を挟んだときに、シート３１がよれず綺麗に収納するためには、円形鉄片３２と磁石４を位置ずれしないよう、しっかり吸着させる必要がある。円形鉄片３２の寸法が磁石４の寸法と全く同一である場合、挟み込む書類が薄いうちはきちんと吸着できるが、挟み込む書類の枚数が増え厚みが出てくると、書類の厚みで円形鉄片３２の位置がずれ、磁石４上に重ならなくなってしまう。
【００２９】
そのため、磁石４は、円形鉄片３２よりも面積が大きくなっている。分厚い書類を挟み込んでシート３１に配設された円形鉄片３２の位置がずれても、磁石４が大きめなので、しっかりと吸着できる。ただし、磁石４の寸法が円形鉄片３２の寸法より大きすぎると、円形鉄片３２は磁石４上どこにでも吸着できるので、円形鉄片３２の吸着位置が、毎回定まらず、結果としてシート３１がよれてしまう。磁石４の最適な寸法は、円形鉄片３２の寸法に対し、Ｄ方向の幅を１．２倍〜３倍、Ｅ方向の幅を２倍から６倍とすることが望ましい。
【００３０】
Ｅ方向の幅を長くしておくのは、円形鉄片３２の着脱位置をＥ方向にずらすことにより、シート３１を湾曲させて書類収納部３の容積を増やすことができ、挟み込む書類の厚みが厚くなった際にも対応できるためである。Ｄ方向の幅をＥ方向の幅より短くしておくのは、Ｄ方向の幅が長すぎると円形鉄片３２の吸着位置が定まらず、シート３１がよれたり、シワになりやすくなってしまうからである。
【００３１】
バインダーボード１がＡ４サイズの場合、磁石４のＤ方向の幅は、３ミリから３０ミリまでが良く、望ましくは５ミリから１５ミリの間が最適である。円形鉄片３２及び磁石４の寸法は、バインダーボード１の大きさによって増減させるのが良い。
【００３２】
さらに、磁石４の上側の辺すなわち磁石下辺４１は、ボード上辺１１に対し斜めになるように配設するのが良い。円形鉄片３２と磁石４との吸着位置がずれるとシート３１がよれて見た目が悪くなるが、磁石下辺４１をボード上辺１１に対し斜めに配設することで円形鉄片３２が、磁石４の中心付近に吸着しやすくなる。
【００３３】
すなわち、開口側二辺３３、３４に囲まれた角部であるボード角部１２の磁石下辺４１をボード上辺１１に対し斜めになるように配設すると、磁石下辺４１の中心部からボード角部１２までの距離が、磁石下辺４１の両端からボード角部１２までの距離に比較して短くなる。そのため、円形鉄片３２が、磁石４の両端ではなく中心部に吸着しやすくなり、吸着位置が限定されるので、書類を収納した際に、シート３１がしわにならず、見た目がスマートになる。ボード上辺１１と磁石上辺４１とが形成する角度は、１５度から７５度までが良く、望ましくは３０度から６０度までが良い。
【００３４】
本実施の形態１では、磁石４を略長方形状としたが、磁石４の形状は長方形状に限定されることはなく、三角形、台形、その他の形状でも良い。
【００３５】
以上、実施の形態１の書類収納部付きバインダーによれば、書類収納部３に取り付けられた円形鉄片３２と、バインダーボード１に取り付けられた磁石４の着脱位置がずれてシートがよれたりせず、たくさん書類を収納しても磁石４と円形鉄片３２がきちんと吸着できる書類収納部付きバインダーを提供することができる。
【００３６】
（実施の形態２）
図８は、本発明の実施の形態２にかかる書類収納部付きバインダーの表側の斜視図であり、図９は、図８に示した書類収納部付きバインダーの裏側の斜視図である。図１０は、図８に示した書類収納部付きバインダーの書類収納部３を開口した様子を示す斜視図である。
【００３７】
図８に示すように、本実施の形態２にかかる書類収納部付きバインダー２００の表側は、書類が載せられるバインダーボード１と、書類を挟んで保持するクリップ２からなる。図９に示すように、バインダーボード１の裏側には、書類収納部３が設けられている。書類収納部３は、略長方形状のシート３１と、磁気吸着部である角部鉄片３７と、角部鉄片３７の設けられた角部と対向する角部に設けられた開放部３８からなる。また、シート３１の隣り合う二辺３５、３６は、バインダーボート１に接着されている。前記二辺３５，３６に囲まれた角部近傍は、シート３１がなく、バインダーボード１が露出している開放部３８が設けられている。前記二辺３５，３６ではない残りの二辺は、開口側二辺３３，３４となっている。開口側二辺３３，３４に囲まれた角部には、角部鉄片３７が設けられている。角部鉄片３７の素材は、鉄、コバルト、ニッケルその他の磁石に吸着可能な素材からなる。
【００３８】
図１０に示すように、バインダーボード１には、シート３１に設けられた角部鉄片３７と接する部分に、磁石４が埋め込まれている。略長方形の磁石４は、その下辺が、ボード上辺１１に対し斜めになるよう配設されているので、角部鉄片３７を磁石４に近づけたとき、位置ずれせずに磁石４にぴったり吸着する。したがって、シート３１が、よれたりせず綺麗に書類を収納できる。
【００３９】
さらに、薄いシートからなるシート３１の角に角部鉄片３７が設けられているので、角部鉄片３７に指をひっかけてシート３１を開口することができ、シート３１をめくりやすくなる。立ったまま片手で書類収納部付きバインダー２００を使用する際に、手間がかからず便利である。
【００４０】
また、本実施形態では、開放部３８が設けられていることによって、書類収納部３の奥に細かいゴミが溜まることがなく、書類収納部付きバインダーを清潔に使用することができる。また、書類収納部３の奥に、名刺その他の小さいサイズの書類が入り込んでしまった場合にも、開放部３８から指を差し入れて書類を繰り出して取り出せるので便利である。
【００４１】
本実施の形態では、開放部３８は、シート３１の角を斜めに裁断し、三角形の開放部３８としたが、開放部３８の形状は三角形に限定されるものではなく、四角形や丸型にしたり、花の形や星の形の開口をシート３１に設けたりして、デザイン性を付加しても良い。
【００４２】
本実施の形態２では、角部鉄片３７は、台形形状としたが、角部鉄片３７の形状は台形形状に限定されるものではなく、三角形状にしても良いし、四角形状としても良い。
【００４３】
以上、実施の形態２の書類収納部付きバインダーによれば、書類収納部３に取り付けられた角部鉄片３７と、バインダーボード１に取り付けられた磁石４の着脱位置がずれることなく、たくさん書類を収納しても書類収納部３のシート３１がよれたりシワになったりすしない書類収納部付きバインダーを提供することができる。
【００４４】
（実施の形態３）
図１１は、本発明の実施の形態３にかかる書類収納部付きバインダーの表側の斜視図であり、図１２は、図１１に示した書類収納部付きバインダーの裏側の斜視図である。図１３は、図１１に示した書類収納部付きバインダーの書類収納部３を開口した様子を示す斜視図である。
【００４５】
図１１に示すように、本実施の形態３にかかる書類収納部付きバインダー３００の表側は、書類が載せられるバインダーボード１と、書類を挟んで保持するクリップ２からなる。図１２に示すように、バインダーボード１の裏側には、書類収納部３が設けられている。書類収納部３は、略長方形状のシート３１と円形磁石３９からなる。シート３１の隣り合う二辺３５、３６は、バインダーボート１に接着されており、前記二辺３５，３６ではない残りの二辺は、開口側二辺３３，３４となっている。円形磁石３９は、開口側二辺３３，３４に囲まれた角部近傍に設けられている。
【００４６】
図１３に示すように、バインダーボード１には、シート３１に設けられた円形磁石３９と接する部分に、鉄板４２が埋め込まれている。鉄板４２の素材は、鉄、コバルト、ニッケルその他の磁石に吸着可能な素材からなる。略三角形の鉄板４２は、鉄板下底辺４３が、ボード上辺１１に対し斜めになるよう配設されている。そのため、鉄板下辺４３の中心部からボード角部１２までの距離が、磁石下辺４１の両端からボード角部１２までの距離に比較して短くなり、円形磁石３９が、鉄板４２の両端ではなく中心部に吸着しやすい。よって、書類を収納した際に、シート３１がしわにならず、綺麗に書類を収納することができる書類収納部付きバインダーを提供することができる。
【００４７】
本実施の形態では、バインダーボード１に鉄板４２を埋め込む構成としたが、鉄板４２はバインダーボード１に埋め込むほか、バインダーボード上に接着させて配設しても良く、また、バインダーボード１の素材を一部または全部、磁石に吸着する素材としても良い。
【００４８】
実施の形態１，２では、１枚のシート３１を設け、書類収納部３が１つの書類収納部付きバインダーとしたが、２枚以上のシート３１を用いて、書類収納部３が２つ以上ある書類収納部付きバインダーとしても良い。また、大きさの違う複数のシート３１を用いて、大きさの違う複数の書類収納部３を設けた書類収納部付きバインダーとしても良い。
【符号の説明】
【００４９】
１００，２００  書類収納部付きバインダー
１  バインダーボード
１１  ボード上辺
１２  ボード角部
２  クリップ
３  書類収納部
３１  シート
３２  円形鉄片
３３、３４  開口側二辺
３５、３６  二辺
３７  角部鉄片
３８  開放部
３９  円形磁石
４  磁石
４１  磁石下辺
４２  鉄板
４３  鉄板下辺
６  書類
【図１】
2015104828.tif 000003
【図２】
2015104828.tif 000004
【図３】
2015104828.tif 000005
【図４】
2015104828.tif 000006
【図５】
2015104828.tif 000007
【図６】
2015104828.tif 000008
【図７】
2015104828.tif 000009
【図８】
2015104828.tif 000010
【図９】
2015104828.tif 000011
【図１０】
2015104828.tif 000012
【図１１】
2015104828.tif 000013
【図１２】
2015104828.tif 000014
【図１３】
2015104828.tif 000015